(57)【要約】【課題】相手のメールアドレスを、ポインティングデバイスのポインタ軌跡から瞬時に入力させることが出来ると共に、メールアドレス入力時の利用者の入力負担を軽減し、使い勝手を良くする。【解決手段】ポインティングデバイス１と、このポインティングデバイス１の指示する軌跡を表示する表示手段とを含み、前記ポインティングデバイス１によりアドレスを入力するアドレス入力装置において、前記表示手段上に前記ポインティングデバイス１により描いた各種の軌跡に対応してアドレスを予め割り振り（アドレス登録手段５、記憶手段６）、アドレス入力時に前記表示手段上で前記ポインティングデバイスが所定アドレスに対応する軌跡を描くことにより（軌跡検出手段２）、前記割り振られたアドレスを呼び出し（判定手段７）、そのアドレスを入力するアドレス入力手段を有することを特徴とする。【選択図】  図１
2006277314.tif 000002
【特許請求の範囲】
【請求項１】
ポインティングデバイスと、このポインティングデバイスの指示する軌跡を表示する表示手段とを含み、前記ポインティングデバイスによりアドレスを入力するアドレス入力装置において、前記表示手段上に前記ポインティングデバイスにより描いた各種の軌跡に対応してアドレスを予め割り振り、アドレス入力時に前記表示手段上で前記ポインティングデバイスの指示する軌跡が所定アドレスに対応する軌跡に相当することを検出することにより、前記割り振られたアドレスを呼び出し、そのアドレスを入力するアドレス入力手段を有することを特徴とするアドレス入力装置。
【請求項２】
アドレス入力手段が、ポインティングデバイスにより描いた各種の軌跡に対応してアドレスを予め割り振って記憶した記憶手段と、アドレス入力時に前記表示手段上で前記ポインティングデバイスの描いた軌跡を検出する軌跡検出手段と、この軌跡検出手段の検出した軌跡と前記記憶手段に記憶した軌跡とを対応させ前記ポインティングデバイスの軌跡に対応するアドレスを出力する処理手段とを備える請求項１記載のアドレス入力装置。
【請求項３】
軌跡検出手段は、検出時間を任意に設定するタイマにより、ポインティングデバイスが指示する軌跡の検出開始から検出終了までの検出時間が規制される請求項１または２記載のアドレス入力装置。
【請求項４】
ポインティングデバイスの軌跡が、表示手段上の画面内で上下左右方向に動く軌跡である請求項１，２または３記載のアドレス入力装置。
【請求項５】
ポインティングデバイスの軌跡が、表示手段上の画面内で上下左右方向に動く軌跡を組合せ、または結合した軌跡である請求項１，２または３記載のアドレス入力装置。
【請求項６】
ポインティングデバイスの軌跡が、表示手段上の画面の中心の検出開始点である請求項４または５記載のアドレス入力装置。
【請求項７】
アドレスがメールアドレスである請求項１乃至６のうちの１項に記載のアドレス入力装置。
【請求項８】
請求項１乃至７のうちの１項に記載のアドレス入力装置を備えることを特徴とするアドレス入力装置をもつ電子機器。
【請求項９】
電子機器が、ポインティングデバイスを有するコンピュータを含む装置である請求項８記載のアドレス入力装置をもつ電子機器。
【請求項１０】
電子機器が、携帯端末または携帯電話である請求項８または９記載のメールアドレス入力装置をもつ電子機器。
【請求項１１】
ポインティングデバイスの指示する軌跡を表示手段上に表示して、前記ポインティングデバイスによりアドレスを入力するアドレス入力方法において、前記表示手段上に前記ポインティングデバイスにより描いた各種の軌跡に対応してアドレスを予め割り振り、アドレス入力時に前記表示手段上で前記ポインティングデバイスの指示する軌跡が所定アドレスに対応する軌跡に相当することを検出することにより、前記割り振られたアドレスを呼び出し、そのアドレスを入力することを特徴とするアドレス入力方法。
【請求項１２】
携帯電話のアドレス入力時、前記携帯電話に搭載されているポインティングデバイスの軌跡を検出し、このポインティングデバイスの軌跡が予め定められたアドレスに対応して予め設定したアドレスの軌跡と同一であると判定した場合、前記予め設定しているアドレスの入力を行う請求項１１記載のアドレス入力方法。
【請求項１３】
ポインティングデバイスにより描いた各種の軌跡に対応してアドレスを予め割り振って記憶手段に記憶し、アドレス入力時に前記表示手段上で前記ポインティングデバイスの入力する軌跡を検出し、この検出した軌跡と前記記憶手段に記憶した軌跡とを対応させ前記ポインティングデバイスの軌跡に対応するアドレスを入力する請求項１１または１２記載のアドレス入力方法。
【請求項１４】
ポインティングデバイスの指示する軌跡を検出する検出時間が、任意に設定される時間により規制される請求項１１，１２または１３記載のアドレス入力方法。
【請求項１５】
ポインティングデバイスの軌跡が、表示手段上の画面内で上下左右方向に動く軌跡である請求項１１，１２，１３または１４記載のアドレス入力方法。
【請求項１６】
ポインティングデバイスの軌跡が、表示手段上の画面内で上下左右方向に動く軌跡を組合せ、または結合した軌跡である請求項１１，１２，１３または１４記載のアドレス入力方法。
【請求項１７】
ポインティングデバイスの軌跡が、表示手段上の画面の中心の検出開始点である請求項１５または１６記載のアドレス入力方法。
【請求項１８】
アドレスがメールアドレスである請求項１１乃至１７のうちの１項に記載のアドレス入力方法。
【発明の詳細な説明】
【技術分野】
【０００１】
本発明は、ポインティングデバイスによるアドレス入力装置、そのアドレス入力方法およびそのアドレス入力手段をもつ電子機器に関し、特に簡易にメールアドレス入力できるアドレス入力装置、そのアドレス入力方法およびそのアドレス入力手段をもつ電子機器に関する。
【背景技術】
【０００２】
現在、携帯電話に搭載される機能は、増加の一途をたどっているが、その一方では、端末の携帯性を向上させるため、小型化・軽量化が図られ、操作キーの数もこれに従って制限される。結果、１つのキーには多くの機能を割り当てざるを得ない。
【０００３】
携帯電話は、従来の携帯型の音声通話機器としてだけではなく、最も身近な電子メール通信機器としても知られている。電子メールを送信する場合には、電子メールの送信先であるアドレスの入力が必須となる。このメールアドレスは、英文字、記号、数字等で構成されている。また、携帯電話は携帯性を向上させるため、小型化・軽量化が図られ、操作キーの数もこれに従って制限されている。そのため、利用者は文字入力モードの切替えを、複数回行いながら文字入力操作を行わなければならなかった。
【０００４】
近年、ポインティングデバイスを備えた携帯電話の開発がなされている。ポインティングデバイスは携帯電話上のディスプレイに表示されたカーソルを移動させて文字入力や機器の制御を行う際に用いられている。このポインティングデバイスとしては、一般のパーソナルコンピュータ（パソコン）用にはマウスが用いられている。これに対し、携帯電話用には、スライド式ポインティングデバイス、トラックボール式ポインティングデバイス、指移動式ポインティングデバイスなど多くの公知技術が用いられている。しかし、数が限られているキーの中で、ポインティングデバイスは有効活用されていない場面が数多く存在する。
【０００５】
ここで通常の携帯電話のメールアドレス入力方法の一例を、図６〜８の図面によりに説明する。図６は、一般のポインティングデバイスを持つ携帯電話の平面図である。この携帯電話２０の操作面には、第１，第２のソフトキー２１，２４と、十字カーソルキー２２と、オンフックキー２３と、ポインティングデバイス２５と、オフフックキー２７と、数字、文字に対応するテンキー２８とが設けられている。
【０００６】
この場合、第１のソフトキー２１は、メールアドレス入力画面では文字入力切替キーとなり、第２のソフトキー２４は、メールアドレス入力画面では機能メニューキーとなる。また、十字カーソルキー２２は、上下左右方向に指示をすることが出来、ポインティングデバイス２５は、メールアドレス入力画面上のポインタを移動させるとともに、メールアドレス入力画面での決定キーとなる操作キー２６としても動作する。
【０００７】
図７は直接メールアドレスを入力する場合の手順を示すフロー図である。直接メールアドレスを入力する場合、まずステップＳ２１で、文字入力に切り替えて、ステップＳ２１ａで、一文字入力するが、入力したい文字によっては、複数回のキーを押す必要がある。例えば、アルファベットの文字「Ｃ」を入力する場合には、テンキー２７の「２」を連続して３回押す必要ある。
【０００８】
更に、文字ごとにテンキー２８の入力回数が異なるため、同じキーに割り当てられた文字を続けて入力するためには、文字を区切るために別のキー（例えば右矢印キー２２「→」）を押す必要がある。例えば、「ＡＢ」と入力するためには、テンキー２７の「２」を３回押す必要があるが、単に「２２２」と連続してキーを押すと「Ｃ」が入力されてしまう。これを防止するには、「２」を１回押した後で、別のキー（例えば右矢印キー２２「→」）を押し、改めて「２２」とテンキー２７の「２」を２回押すという操作が必要となる。
【０００９】
また、メールアドレスには「＠（アットマーク）」や「．（ドット）」等の記号が必ず含まれている。これらを入力するには、文字入力切替キーで、文字入力モードを記号に変更しなければならない。これはステップＳ２２に相当する。その後、アルファベット入力をする場合には、文字入力モードを英文字に戻してやる必要もある。上記の「一文字入力（ステップＳ２１）」と「入力文字種類の変更（ステップＳ２２）」の処理を何回か繰り返すことになる。例えば、ステップＳ２１ａの一文字入力のあとに、ステップＳ２２の入力文字種類の変更、またステップＳ２１ｂの一文字入力、ステップＳ２２ｂの入力文字種類の変更、またステップＳ２１ｃの一文字入力、ステップＳ２１ｄの一文字入力、・・を経て、ステップＳ２３にてメールアドレスの入力を決定し処理が完了する。
【００１０】
また、直接メールアドレスを入力する方法以外に、携帯電話の電話帳を利用してメールアドレスを入力する方法がある。これは、メールアドレス入力時に電話帳機能を呼び出し、既に登録されている宛先メールアドレスを選択することによって、入力することが出来る方法である。図８は電話帳から宛先メールアドレスを入力する手順の一例を示す。
【００１１】
メールアドレス入力画面から、ステップＳ３１により機能メニューを呼び出す。これは、図６に記されたソフトキー２４を押下することによって、各機能が一覧された機能メニューが、別ウインドウで表示される。ステップＳ３２では、機能メニューから、十字カーソルキー２２の上下方向にカーソル移動させ、「電話帳」を選択する。電話帳を選択することによって、電話帳画面が表示され電話帳を参照することが可能となる。ステップＳ３３では、電話帳から相手のデータを検索する。電話帳の既存の検索機能等を駆使し、メールを送信する相手データを探し、ステップＳ３４で、相手の個人情報からメールアドレスを選択する。メールアドレスを選択することによって、相手のメールアドレスを入力することが可能となっている。これらいずれのアドレス入力方法も複数回の手順を踏まないと、宛先アドレスを入力することが出来ない。
【００１２】
今日の携帯電話のほとんどには、選択肢の選別や、カーソルの移動のために十字カーソルキー２２が備わっている。その中でも、ポインティングデバイス２５と十字カーソルキー２２の両方を持った、使い勝手を大幅に向上させた携帯電話も登場している。このポインティングデバイス２５とは、ポインタ操作キー２６とスライド移動範囲から構成される。ポインタ操作キー２６は、操作していない時には、スライド移動範囲の中心に位置し、指の操作によるスライド移動範囲内のスライド操作と、スライド操作以外に押下操作が可能であり、スライド操作中に、指を離すことで中心位置に戻る。
【００１３】
従来、ポインティングデバイスはパソコンのマウスポインタ（マウスカーソル）のように、画面上の任意の位置をポイントするための入力デバイスと考えられているため、ポインティングデバイスの利用場面は限られている。例えば、メールアドレス入力画面等の文字入力画面では、細かい箇所をポイントする必要がないため、ポインティングデバイスは有効になっておらず、カーソル等の移動には十字カーソルキー２が使用されるようになっている。
【００１４】
また、ポインティングデバイスの使用法として、特許文献１に示されたものがある。これは、ポインティングデバイスをショートカット処理に適用した携帯端末を示している。図９はこの携帯端末の構成を示す機能ブロック図、図１０は図９の処理を説明するフロー図である。図９において、この携帯端末は、マウスなどのポインティングデバイスからなる入力手段１ａと、検出手段２ａと、検出タイマ３ａと、解析手段４ａと、処理登録手段６ａと、軌跡の判定手段７ａと、判定後の処理を行う処理手段８ａと、全体タイマ１０とが含まれる。
【００１５】
まず、ポインティングデバイスからなる入力手段１ａが指示する座標位置を、検出手段２ａにより検出する。この座標位置の検出は、検出タイマ３ａにより一定時間毎に行われる。さらに、解析手段４ａが、検出された座標位置から求められる軌跡のベクトルを解析する。また、処理登録手段６ａは、予め入力した軌跡の登録を行い、その登録処理をする。そして判定手段７ａが、解析した軌跡の内容が登録した軌跡内容と一致しているかどうかを判定し、処理手段８ａが、判定後の処理を行う。全体タイマ１０は全体のタイミングを制御する。
【００１６】
図１０は、予め登録したいショートカット処理の処理フロー図である。まず、ステップＳ４１で、登録を開始する信号（合図）を外部から入力する。そして、ポインティングデバイス１ａのボタン（スイッチ）を押下した状態で移動（ドラッグ）が開始され（ステップＳ４２）、この押下が解除されるまでが軌跡となる。この場合、検出手段２ａにより検出タイマ３ａを用いて時分割処理をする（ステップＳ４３，Ｓ４５）。
【００１７】
この状態でステップＳ４４では、ドラッグ状態の終了を判定し、ドラッグの終了した時点で、ステップＳ４６の軌跡のベクトル化を行う。軌跡のベクトル化が済んだ場合、ステップＳ４７で、処理登録手段６ａに登録する。すなわち、この時分割処理により、ポインティングデバイス１ａによるポインタの軌跡が、順次点の繋がりとしてベクトル的に表現できる。このようにしてベクトル化された軌跡を、所定のショートカット処理に対応させ、処理登録手段６ａに登録すればよい。
【００１８】
この従来技術では、ポインティングデバイスの機能を用いて、任意の軌跡に対応するショートカット処理が可能となる特徴がある。
【００１９】
【特許文献１】特開平９−２３７１４９号
【発明の開示】
【発明が解決しようとする課題】
【００２０】
しかし、この従来技術では、ポインティングデバイスの機能を用いて、任意の軌跡に対応するショートカット処理ができるが、軌跡のベクトル処理が複雑になっており、簡単な操作になっておらず、またショートカット処理の具体的内容は不明であるという問題がある。この場合、ショートカット処理をアドレス入力方法に対応させたとしても、その具体的構成は分からず、アドレスの入力の手順も不明であり、アドレスを容易に入力することが出来るかどうかの課題は残っている。
【００２１】
本発明の主な目的は、相手のアドレスを、ポインティングデバイスのポインタ軌跡から瞬時に入力させることが出来るようにすると共に、アドレス入力時の利用者の入力負担を軽減し、使い勝手を良くしたアドレス入力装置、そのアドレス入力方法およびそのアドレス入力手段をもつ電子機器を提供することにある。
【課題を解決するための手段】
【００２２】
本発明の構成は、ポインティングデバイスと、このポインティングデバイスの指示する軌跡を表示する表示手段とを含み、前記ポインティングデバイスによりアドレスを入力するアドレス入力装置において、前記表示手段上に前記ポインティングデバイスにより描いた各種の軌跡に対応してアドレスを予め割り振り、アドレス入力時に前記表示手段上で前記ポインティングデバイスの指示する軌跡が所定アドレスに対応する軌跡に相当することを検出することにより、前記割り振られたアドレスを呼び出し、そのアドレスを入力するアドレス入力手段とを有することを特徴とする。
【００２３】
本発明において、アドレス入力手段が、ポインティングデバイスにより描いた各種の軌跡に対応してアドレスを予め割り振って記憶した記憶手段と、アドレス入力時に前記表示手段上で前記ポインティングデバイスの描いた軌跡を検出する軌跡検出手段と、この軌跡検出手段の検出した軌跡と前記記憶手段に記憶した軌跡とを対応させ前記ポインティングデバイスの軌跡に対応する前記アドレスを出力する処理手段とを備えることができる。
また、本発明において、軌跡検出手段は、検出時間を任意に設定するタイマにより、ポインティングデバイスが指示する軌跡の検出開始から検出終了までの検出時間を規制することができ、また、ポインティングデバイスの軌跡が、表示手段上の画面の中心を始点として上下左右方向に動く軌跡を、各アドレスに対応させることができ、また、ポインティングデバイスの軌跡が、表示手段上の画面の中心を始点として上下左右方向に動く軌跡を組合せ、または結合した軌跡を、各アドレスに対応させることができ、また、アドレスをメールアドレスとすることができる。
【００２４】
本発明のアドレス入力装置をもつ電子機器の構成は、上述したアドレス入力装置を備えることを特徴とする。
【００２５】
本発明において、電子機器が、ポインティングデバイスを有するコンピュータを含む装置であることができ、また、電子機器が、携帯端末または携帯電話であることができる。
本発明の構成は、ポインティングデバイスの指示する軌跡を表示手段上に表示して、前記ポインティングデバイスによりアドレスを入力するアドレス入力方法において、前記表示手段上に前記ポインティングデバイスにより描いた各種の軌跡に対応してアドレスを予め割り振り、アドレス入力時に前記表示手段上で前記ポインティングデバイスの指示する軌跡が所定アドレスに対応する軌跡に相当することを検出することにより、前記割り振られたアドレスを呼び出し、そのアドレスを入力することを特徴とする。
【００２６】
本発明において、ポインティングデバイスにより描いた各種の軌跡に対応してアドレスを予め割り振って記憶手段に記憶した、アドレス入力時に前記表示手段上で前記ポインティングデバイスの描いた軌跡を検出し、この検出した軌跡と前記記憶手段に記憶した軌跡とを対応させ前記ポインティングデバイスの軌跡に対応する前記アドレスを入力することができ、また、携帯電話のアドレス入力時、前記携帯電話に搭載されているポインティングデバイスの軌跡を検出し、このポインティングデバイスの軌跡が予め定められたアドレスに対応して予め設定したアドレスの軌跡と同一であると判定した場合、前記予め設定しているアドレスの入力を行うことができる。
【発明の効果】
【００２７】
以上説明したように、本発明の構成によれば、メールする相手のアドレスを、ポインティングデバイスのスライド軌跡に対応させているので、ポインティングデバイスによるポインタ軌跡を入力するだけで、アドレスを瞬時に読み出して使用装置（携帯電話）に入力することが出来る。また、メールアドレス入力時、利用者の入力負担を軽減し、扱いが容易で使い勝手の良いアドレス入力装置を提供することが可能となる。
【発明を実施するための最良の形態】
【００２８】
次に図面により本発明の実施形態を説明する。図１は本発明の一実施形態の携帯電話によるメールアドレス入力時の機能ブロック図である。この図１に示すように、本実施形態は、ポインティングデバイス１と、軌跡検出手段２と、検出タイマ３、解析手段４と、アドレス登録手段５と、記憶手段６と、軌跡の判定手段７と、判定後の処理を行う処理手段８とから構成される。
【００２９】
本実施形態は、携帯電話に設けられたポインティングデバイス１を操作して、携帯電話の表示部（図示せず）の表示面に表示されるポインタを移動させ、その表示面に描かれた
ポインタの軌跡により、メールアドレスの入力を行うことを特徴とする。すなわち、携帯電話の表示画面上にポインティングデバイス１により描いた各種の軌跡に対応してメールアドレスを予め割り振っておく。そして、メールアドレス入力時に表示画面上でポインティングデバイス１が所定アドレスに対応した軌跡を描くことにより、その割り振られたメールアドレスを呼び出し、そのメールアドレスを携帯電話の制御部または無線部（図示せず）などに入力する。
【００３０】
まず、登録手段５により、携帯電話の電話帳等のメールアドレスを登録するデータベースとなる記憶手段６に、メールアドレスと予め定められているスライド軌跡を関連付けて登録する。そしてメールアドレス等の文字入力場面あるいは表示画面単位でポインティングデバイス１を有効／無効に制御する。そしてポインティングデバイス１のスライド軌跡を軌跡検出手段２により検出する。また、この座標位置の検出は、検出タイマ３により一定時間毎にスライド追尾が行われる。軌跡検出手段２により検出したポインティングデバイス１のスライド軌跡を解析手段４により解析し記録する。ここで解析手段４は、以下に示す実施例のように簡単な直線の場合には、軌跡検出手段２の出力がそのまま利用でき解析手段４が不要となる。予め定められた記憶手段３の軌跡の内容が、ポインティングデバイス１の軌跡と一致するかどうかを判定手段７により判定する。この判定の結果、軌跡が一致した場合に、処理手段８により登録されているアドレスの入力を行う。
【００３１】
本実施形態によれば、メールする相手のアドレスを、ポインティングデバイスのスライド軌跡に対応させているので、ポインティングデバイスによるポインタ軌跡を入力するだけで、メールアドレスを瞬時に入力させることが出来、扱いが容易で使い勝手の良い携帯電話が得られる。
【実施例１】
【００３２】
本発明の一実施例について、メールアドレスをスライド軌跡に登録する方法の一例を説明する。本実施例の携帯電話の電話帳には、メールアドレスを新規登録や追加登録する際、予め定められているスライド軌跡の割り振りを登録するパラメータを有している。メールアドレス一つに対して、一つのスライド軌跡を登録することが出来る。
【００３３】
この予め定められているスライド軌跡が４つの場合を、図２（ａ）〜（ｄ）の模式図に示す。図内の矢印は、スライド方向を表し、丸点は始点や停止点を表している。ポインティングデバイス１は、ゼロ点１１を中心にしてスライド有効移動範囲（有効エリア）１２内をポインタが移動できるとする。図２（ａ）は、ポインティングデバイス１が軌跡認識の始点であるゼロ点１１をスタートし、上方向へ真っ直ぐスライドさせたスライド軌跡１３ａである。同様に図２（ｂ）は右方向にスライドさせたスライド軌跡１３ｂ、図２（ｃ）は下方向にスライドさせたスライド軌跡１３ｃ、図２（ｄ）は左方向にスライドさせたスライド軌跡１３ｄを示している。これらスライド軌跡１３ａ〜１３ｄは、所定のアドレスに対応させて、記憶手段６に予め登録しておく。
【００３４】
図３は、メールアドレスにスライド軌跡を登録する手順の一例を示すフロー図である。電話帳にメールアドレス登録（ステップＳ１）後、メールアドレスにポインティングデバイス１のスライド軌跡を割り振るか否かの選択をする（ステップＳ２）。ここでＹＥＳを選択すると、ステップＳ３に遷移し、携帯電話に登録されているスライド軌跡があるかどうか判定する。スライド軌跡がある（ＹＥＳ）場合は、次のステップＳ４ａ〜Ｓ４ｄのいずれかに進み、４つのスライド軌跡のうちの、使われていない任意の１つを選択する状態となる。このスライド軌跡の選択は、１つのメールアドレスに１つの軌跡が対応するようにする。例えば、ステップＳ４ａのスライド軌跡１３ａを選択した時、メールアドレスＸを割り当てて登録し、ステップＳ４ｂのスライド軌跡１３ｂを選択した時、メールアドレスＹを割り当てるようして順に登録する。このよう４つのスライド軌跡に対して４つのメールアドレスがそれぞれ登録される。
また、ステップＳ３でスライド軌跡がない（ＮＯ）場合は、スライド軌跡を割り振らない、ＯＦＦ設定となるステップＳ５に移行する。なお、ステップＳ２の状態で、ＮＯを選択した場合も、自動的に「ＯＦＦ設定」（ステップＳ５）が選択されたことになる。そしてステップＳ６で、メールアドレスの登録が決定される。ここで割り振ったスライド軌跡は、後にＯＦＦ設定にしたり、異なるスライド軌跡に変更することが出来る。
【００３５】
以上のように、メールアドレスに、スライド軌跡を割り振ることで、スライド軌跡からメールアドレスを呼び出すことが可能になる。このスライド軌跡には、頻繁にメールする相手のメールアドレスを割り当てることが出来る。
【００３６】
次に、スライド軌跡からメールアドレスを入力する実施手順の一例を示す図４のフロー図を参照しながら説明する。まず、ステップＳ１１では、メールアドレス入力画面でポインティングデバイス１が有効になっているか否か判断する。これが無効になっている場合は、本実施例は機能しない状態のステップＳ２０となる。次に、ステップＳ１２の状態では、軌跡の検出の始点を認識するため、ポインティングデバイス１がゼロ点（スライド移動範囲の中央）にあることを確認する。ポインティングデバイス１が、ゼロ点に位置していることが確認されると、ポインティングデバイスのスライドを待つステップＳ１３のアイドル状態となる。
【００３７】
このアイドル状態（ステップＳ１３）で、ポインティングデバイスの移動開始した瞬間から、ステップＳ１４で検出タイマ３がスタートする。この検出タイマ３は、軌跡を検出出来る時間を設定するタイマであり、その設定時間は任意に変更できるようにしている。それは、ポインティングデバイス１のスライド操作の早さが操作者により異なるので、スライド操作の個人差を少なくし、軌跡検出を確実にするためである。また、それと同時にステップＳ１５の状態のポインタの軌跡の記録が開始され、ポインティングデバイス１のポインタのスライド軌跡が記録される。ステップＳ１６で、検出タイマ３の設定時間が終了する。この検出タイマ３は、検出タイマ３の終了と同時に、ステップＳ１７に進み、ポインタの軌跡の記録も終了する。
【００３８】
次に、ステップＳ１８で、記憶手段６に記憶した予め定められた軌跡（図２）と、記録された軌跡の判定が判定手段７により行われる。状態（ステップＳ１５）から状態（ステップＳ１７）間に、ポインティングデバイス１を上方向へ移動させて、上方向にスライドされた軌跡が記録されていた場合、状態（ステップＳ１８）の処理で、図２（ａ）のスライド軌跡と一致することが判断される。この場合定められている軌跡（図２）が一致したため、処理手段８により、状態（ステップＳ１９）の処理が実施され、図２（ａ）のスライド軌跡を割り当てたメールアドレスを入力することが出来る。
【００３９】
この場合、スライド軌跡が、図２のように、上下左右のような一方向のみの簡単な直線では、スライド軌跡の入力や検出が容易にできるので、頻繁に使用するアドレスを簡単な軌跡に対応させ方が、操作がしやすく、また処理時間も早くすることができる。
【実施例２】
【００４０】
図５は本発明の第２の実施例のスライド軌跡を説明する模式図である。実施例１では、予め定められているスライド軌跡を図２の４つの場合と記したが、各種のスライド軌跡を組み合わせたり、結合させることにより、スライド軌跡に対応するアドレスを増やすことが可能である。本実施例は、図のように、ポインティングデバイス１を有効エリア１２のゼロ点１１から上方向へ移動させてスライドの停止するストップ点を折り返し、下方向へ移動させたスライド軌跡１３ｅである。
【００４１】
このようにスライド軌跡を組み合わせたり、結合させることにより、アドレスの登録増加にも対応することが出来る。この場合、前述のように、スライド軌跡が、上下左右のような簡単な直線では、スライド軌跡の入力や検出が容易にできるので、頻繁に使用するアドレスを、簡単な軌跡にした方が良い。従って、スライド軌跡の組み合わせや結合も、操作者が容易に記憶出来る程度にした方が、操作がしやすい。
【００４２】
さらに、様々なスライド軌跡を利用することが出来る。例えば、構成が複雑にはなるが、スライド軌跡をアドレスの頭文字とすることも可能である。この場合には、頭文字ならば、登録されているメールアドレスの相手を覚えやすいという利点もある。
【００４３】
なお、本発明はメールアドレス入力時だけでなく、他のアドレスや文字入力の場面でも応用することが可能である。
【産業上の利用可能性】
【００４４】
本発明は、いわゆる携帯電話やＰＤＡ（Ｐｅｒｓｏｎａｌ  Ｄｉｇｉｔａｌ  Ａｓｓｉｓｔａｎｔ）などの携帯端末、またパソコン等の各種情報機器装置、電子機器でポインティングデバイスを備えた機器に適用することが出来る。
【図面の簡単な説明】
【００４５】
【図１】本発明の第１の実施形態のポインティングデバイスの処理を説明する機能ブロック図である。
【図２】（ａ）〜（ｄ）は図１のポインティングデバイスの軌跡を説明する模式図である。
【図３】図１のポインティングデバイスの登録処理を説明するフロー図である。
【図４】図１のポインティングデバイスのアドレス入力処理を説明するフロー図である。
【図５】本発明の第２の実施例のポインティングデバイスの処理を説明する模式図である。
【図６】一般の携帯電話機の構造を説明する正面図である。
【図７】図６のアドレス登録処理を説明するフロー図である。
【図８】図６のアドレス入力の処理を説明するフロー図である。
【図９】従来例のポインティングデバイスの構成を説明する機能ブロック図である。
【図１０】図９の処理を説明するフロー図である。
【符号の説明】
【００４６】
１，２５    ポインティングデバイス
１ａ    入力手段
２    軌跡検出手段
２ａ    検出手段
３，３ａ    検出タイマ
４，４ａ    解析手段
５    アドレス登録手段
６    記憶手段
６ａ    処理登録手段
７，７ａ    判定手段
８，８ａ    処理手段
１０    全体タイマ
１１    ゼロ点
１２    有効エリア
１３ａ〜１３ｅ    ポインティングデバイスのスライド軌跡
１４    スライドストップ点
２０    携帯電話機
２１，２４    ソフトキー
２２    十字カーソルキー
２３    オンフックキー
２６    ポインタ操作キー
２７    オフフックキー
２８    テンキー
【図１】
2006277314.tif 000003
【図２】
2006277314.tif 000004
【図３】
2006277314.tif 000005
【図４】
2006277314.tif 000006
【図５】
2006277314.tif 000007
【図６】
2006277314.tif 000008
【図７】
2006277314.tif 000009
【図８】
2006277314.tif 000010
【図９】
2006277314.tif 000011
【図１０】
2006277314.tif 000012